(57)【要約】【目的】本発明の目的は、外観を損ねることなく配線を収納することができる安価な配線用ダクト及びこれを連結する連結具を提供することにある。【構成】配線用ダクトＡは、机Ｂの縁部１０に取り付けられて使用される配線用ダクトであって、机Ｂの縁部１０の側面に当接する筒状部材であり且つ長さ方向に収納すべき配線Ｃを出し入れするための開口１１０が形成されたダクト本体１００と、机Ｂの縁部１０の上面に当接する片部材であり且つダクト本体１００の外面に長さ方向にわたって延設された鍔部２００とを有する。【選択図】      図１
2004305470.tif 000002
【特許請求の範囲】
【請求項１】
机や棚の縁部に取り付けられて使用される配線用ダクトであって、机等の縁部の側面に当接する筒状部材であり且つ長さ方向に収納すべき配線を出し入れするための開口が形成されたダクト本体と、机等の縁部の上面に当接する片部材であり且つ前記ダクト本体の外面に長さ方向にわたって延設された鍔部とを有することを特徴とする配線用ダクト。
【請求項２】
請求項１記載の配線用ダクトにおいて、前記鍔部の基端側の下部には、机等の縁部の上面に設けられた凸部が嵌まり込む溝部が設けられていることを特徴とする配線用ダクト。
【請求項３】
請求項１又は２記載の配線用ダクトにおいて、前記ダクト本体には、弾性片であり且つ当該ダクト本体の開口を開閉可能に塞ぐ蓋体が取り付けられていることを特徴とする配線用ダクト。
【請求項４】
請求項１、２又は３記載の配線用ダクトにおいて、前記ダクト本体の端部に嵌合し、当該端部を閉塞するキャップを有することを特徴とする配線用ダクト。
【請求項５】
机等の角部の縁部に取り付けられ、直交配置された請求項１、２、３又は４記載の配線用ダクトの端部同士を連結する筒状の連結具において、机等の角部の縁部に沿って略Ｌ字状に折れ曲がった筒状部材であり且つ収納すべき配線を出し入れするための開口が形成された連結具本体と、机等の縁部の上面に当接する片部材であり且つ前記ダクト本体の外面に長さ方向にわたって延設された鍔部と、前記連結具本体の両端部に設けられ、前記ダクト本体の端部に各々嵌合する嵌合部とを具備することを特徴とする連結具。
【請求項６】
請求項５記載の連結具において、前記連結具本体には、弾性片であり且つ当該連結具本体の開口を開閉可能に塞ぐ蓋体が取り付けられていることを特徴とする連結具。
【請求項７】
一直線状に配置された請求項１、２、３又は４記載の配線用ダクトの端部同士を連結する連結具であって、前記配線用ダクトの端部の内側面に各々当接する一対の立壁部と、この立壁部が設けられる基台とを有することを特徴とする連結具。
【発明の詳細な説明】
【０００１】
【発明の属する技術分野】
本発明は、配線を収納し保護する配線用ダクト及びこれを連結する連結具に関する。
【０００２】
【従来の技術】
近年、パソコン等のＯＡ機器の増加に伴って、室内には、電源線、通信線等の配線が多数存在し且つ錯綜している。このため、前記配線を収納する手段として、この配線を巻き取り収納するケースがある（  特許文献１参照）  。
【０００３】
また、前記手段として、縁部に配線を収納する配線用ダクトが設けられた配線用ダクト付机などもある（  特許文献２及び３参照）  。
【０００４】
【特許文献１】
特開２００２−２４１０５８号公報
【特許文献２】
特開２０００−１３９５７６号公報
【特許文献３】
特開２００２−２８２０５０号公報
【０００５】
【発明が解決しようとする課題】
しかしながら、前記ケースは、配線を巻き取って収納する構成上、ケース自体が大きくなる。このため、ケースが邪魔になり、その結果、外観を損ねる。
【０００６】
一方、前記配線用ダクト付机は、配線を机の縁部の配線用ダクトに収納することができるから、前記ケースのように外観を損ねることはないが、机を新規に購入しなければならず、コスト高になるという問題がある。
【０００７】
本発明は、上記事情に鑑みて創案されたものであって、その目的とするところは、外観を損ねることなく配線を収納することができる安価な配線用ダクト及びこれを連結する連結具を提供することにある。
【０００８】
【課題を解決するための手段】
上記課題を解決するために、本発明の配線用ダクトは、机や棚の縁部に取り付けられて使用される配線用ダクトであって、机等の縁部の側面に当接する筒状部材であり且つ長さ方向に収納すべき配線を出し入れするための開口が形成されたダクト本体と、机等の縁部の上面に当接する片部材であり且つ前記ダクト本体の外面に長さ方向にわたって延設された鍔部とを有することを特徴としている。
【０００９】
机等の縁部の上面に凸部が設けられている場合、前記鍔部の基端側の下部には、机等の凸部が嵌まり込む溝部を設けると良い。
【００１０】
より好ましくは、前記ダクト本体には、弾性片であり且つ当該ダクト本体の開口を開閉可能に塞ぐ蓋体が取り付けられていることが望ましい。
【００１１】
より好ましくは、前記ダクト本体の端部に嵌合し、当該端部を閉塞するキャップを有することが望ましい。
【００１２】
本発明の連結具は、机等の角部の縁部に取り付けられ、直交配置された請求項１、２、３又は４記載の配線用ダクトの端部同士を連結する筒状の連結具において、机等の角部の縁部に沿って略Ｌ字状に折れ曲がった筒状部材であり且つ収納すべき配線を出し入れするための開口が形成された連結具本体と、机等の縁部の上面に当接する片部材であり且つ前記ダクト本体の外面に長さ方向にわたって延設された鍔部と、前記連結具本体の両端部に設けられ、前記ダクト本体の端部に各々嵌合する嵌合部とを具備することを特徴としている。
【００１３】
より好ましくは、前記連結具本体には、弾性片であり且つ当該連結具本体の開口を開閉可能に塞ぐ蓋体が取り付けられいることが望ましい。
【００１４】
本発明の別の連結具は、一直線状に配置された請求項１、２又は３記載の配線用ダクトの端部同士を連結する連結具であって、前記配線用ダクトの端部の内側面に各々当接する一対の立壁部と、この立壁部が設けられる基台とを有することを特徴としている。
【００１５】
【発明の実施の形態】
以下、本発明の実施の形態に係る配線用ダクトを図面を参照しながら説明する。図１は配線用ダクトの概略的正面図、図２は同ダクトの使用状態を説明するための概略的斜視図、図３は同ダクトの変形例を示す概略的正面図である。
【００１６】
ここに掲げる配線用ダクトＡは、机Ｂの縁部１０に取り付けられて使用される配線用ダクトであって、机Ｂの縁部１０の側面に当接する筒状部材であるダクト本体１００を有している。一方、机Ｂは、縁部１０の上面には、凸部１１が形成されている。
【００１７】
このダクト本体１００は、断面視略Ｕ形状の樹脂製の成形品であって、この上部の長さ方向にわたって収納すべき配線Ｃを出し入れするための開口１１０が設けられている。ダクト本体１００の開口１１０の両開口縁部１２１、１２２のうち、開口縁部１２１の外面には鍔部２００が、内面には突出片４００が各々延出されている。一方、開口縁部１２２の内側面には、後述する蓋体３００が取り付けられる係合溝１３０が長さ方向にわたって設けられている。以下、詳しく説明する。
【００１８】
ダクト本体１００は、その大きさは任意であるが、ここでは配線Ｃだけでなく、ＡＣアダプタ等を収納できる大きさに構成されている。このダクト本体１００の底部１４０は、図１及び２に示す両端部１４１、１４２が丸みを帯びるように形成されている。これにより、机Ｂと壁等との間に挟まれ、外部から衝撃が加えられたとしても耐えることができるようになっている。また、ダクト本体１００の端部１５０、１５０の底面には、配線Ｃを外部に導き出すための切欠き部１６０が形成されている。このようにしてダクト本体１００の端部１５０、１５０から配線Ｃがはみ出さないようにしている。なお、ダクト本体１００の端部１５０には、後述するキャップ５００が取付可能になっている。
【００１９】
鍔部２００は、ダクト本体１００の開口縁部１２１の長さ方向にわたって垂直に延出された片部材であって、机Ｂの縁部１０の上面に当接し接着されるようになっている。ここでは、両面テープＦを用いて鍔部２００の下面２１０と机Ｂの縁部１０の上面とを接着している。
【００２０】
また、この鍔部２００には、基端側の下部に机Ｂの縁部１０の上面の凸部１１が嵌まり込む溝部２２０が設けられている。なお、溝部２２０を設けることは任意である。
【００２１】
突出片４００は、ダクト本体１００の開口縁部１２１の長さ方向わたって略垂直に延出されている。この突出片４００の先端部は、ダクト本体１００の開口縁部１２２に取り付けられた蓋体３００の先端部３１１と向かい合うようになっている
【００２２】
蓋体３００は、弾性片であり且つダクト本体１００の開口１１０を開閉可能に塞ぐ蓋本体３１０と、この蓋本体３１０と直角に設けられており且つダクト本体１００の係合溝１３０に嵌まり込む係合部３２０とを有している。係合部３２０がダクト本体１００の係合溝１３０に取り付けられると、蓋本体３１０の先端部３１１は突出片４００の先端部と向かい合うようになっている。すなわち、蓋本体３１０と突出片４００とでダクト本体１００の開口１１０を閉塞し、ダクト本体１００内にゴミや塵などが入らないようにしている。
【００２３】
蓋本体３１０は、先端部３１１の厚さ寸法が基端部３１２の厚さ寸法より薄く形成されている。従って、蓋本体３１０の先端部３１１に配線Ｃが押し当てられると、蓋本体３１０は弾性変形する。これにより、配線Ｃを先端部３１１と突出片４００の先端部との間から出し入れするだけで、ダクト本体１００からの配線Ｃの収納／取り出しが簡単にできる。なお、蓋体３００を設けることは任意である。この場合、ダクト本体１００の開口縁部１２２には、係合溝１３０を設ける必要はない。
【００２４】
キャップ５００は、ダクト本体１００の端部１５０に嵌合し閉塞する樹脂製の成形品である。このキャップ５００は、ダクト本体１００の端部１５０を閉塞する蓋本体５１０と、この蓋本体５１０に設けられており且つ当該端部１５０に嵌合する嵌合部５２０とを有している。蓋本体５１０は中空の蒲鉾状をしている。一方、嵌合部５２０は、蓋本体５１０に取り付けられた枠体であり、配線用ダクトＡの端部１５０に嵌合し得るように構成されている。なお、キャップ５００を取り付けることは任意である。
【００２５】
このように構成された配線用ダクトＡによる場合、ダクト本体１００内に配線Ｃを収納させる。その後、鍔部２００の下面２１０に設けられた両面テープＦのフィルムを剥がし、机Ｂの縁部１０の側面にダクト本体１００を当接させると共に、当該縁部１０の上面に鍔部２００の下面２１０を接着させる。このようにして配線用ダクトＡを机Ｂの縁部１０に簡単に取り付けることができる。
【００２６】
この配線用ダクトＡは、机Ｂの縁部１０に接着され、ダクト本体１００内に配線Ｃを収納し保護するので、外観を損ねるようなことがない。しかも、すでに所有している机Ｂに簡単に取り付けることができるので、従来例の配線用ダクト付き机を新規に購入する場合と比べて非常に安価である。さらに、この配線用ダクトＡは、一台の机Ｂに簡単に取り付けることができることから、家庭用としても有用である。
【００２７】
ダクト本体１００の端部１５０にキャップ５００を取り付けた場合、配線用ダクトＡの端部１５０から配線Ｃが露出しないので、外観が損なわれることがなくなる。この場合、配線Ｃはダクト本体１００の切欠き部１６０から外部に導き出される。なお、キャップ５００は、配線用ダクトＡの端部１５０のみに嵌合するものでなく、配線を収納し保護する筒状の配線用ダクトの端部に嵌合可能である。従って、キャップ５００の形状は任意であり、配線用ダクトの形状に合わせて構成すれば良い。なお、キャップ５００に配線Ｃを外部に導き出すための切欠き部又は貫通孔を形成してもかまわない。
【００２８】
ダクト本体１００は、上部に開口１１０を有する断面視略Ｕ形状であるとしたが、これに限定されることはなく、開口１１０は当該ダクト本体１００の側面に形成されていても良い。この場合、鍔部２００は、机Ｂの縁部１０の上面に当接し得るようにダクト本体１００の外面から延出されていれば良い。また、ダクト本体１００は、筒状であれば良く、例えば長さ方向にわたって開口１１０が設けられた円筒状であっても良い。なお、ダクト本体１００の端部１５０、１５０の底面には、切欠き部１６０が形成されているとしたが、切欠き部１６０を形成することは任意である。また、切欠き部１６０に代えて貫通孔を形成することも当然可能である。このように貫通孔とする場合、ダクト本体１００の底部１４０や側壁等に形成することができる。
【００２９】
鍔部２００は、ダクト本体１００の開口縁部１２１から延出されているとしたが、開口縁部１２２から延出することも当然可能である。この場合、開口縁部１２１に蓋体３００が着脱自在に取り付けられる係合溝１３０を設けると良い。
【００３０】
また、鍔部２００は、ダクト本体１００の開口縁部１２１に断続的若しくは一部分のみに設けることも可能であり、机Ｂの縁部１０の上面に当接し接着され得るものであればよい。
【００３１】
蓋体３００はダクト本体１００に着脱自在に取り付けられるとしたが、当該ダクト本体１００と一体的に設けることも当然可能である。また、図３に示すように、突出片４００に代えてダクト本体１００の開口縁部１２２に蓋体３００を設けることも可能である。すなわち、蓋体３００がダクト本体１００の開口縁部１２１、１２２から内側に向けて各々延出するように構成する。この場合、蓋体３００、３００は、先端部が開口１１０を通じて配線Ｃをダクト本体１００に出し入れできるように開放されており、互いに向き合うようになっている。
【００３２】
以下、本発明の実施の形態に連結具について図面を参照しながら説明する。図４は本発明の実施の形態に係る連結具の概略的側面図、図５は同連結具の使用状態を示す概略的斜視図である。
【００３３】
ここに掲げる連結具Ｄは、机Ｂの角部の縁部１０に取り付けられ、直交配置された配線用ダクトＡ１、Ａ２の端部同士を連結する連結具であって、机Ｂの角部の縁部１０に沿って略Ｌ字状に折れ曲がった筒状部材であり且つ配線Ｃを出し入れするための開口６１０が形成された連結具本体６００と、机Ｂの縁部１０の上面に当接する片部材であり且つ連結具本体６００の外面に延設された鍔部２００’と、連結具本体６００の両端部に設けられ、配線用ダクトＡ１、Ａ２のダクト本体１００、１００の端部１５０、１５０に各々嵌合する嵌合部７００、７００とを具備している。以下、各部を詳しく説明する。
【００３４】
連結具本体６００は、断面視略Ｕ字形状の樹脂製の成形品であって、略Ｌ字状に折れ曲がっている以外は、ダクト本体１００とほぼ同様の構成となっている。具体的には、連結具本体６００は、断面視略Ｕ字形状であって、その上部に配線用ダクトＡ１、Ａ２の開口１１０、１１０と連通する開口６１０が形成されている。この連結具本体６００の開口６１０の両開口縁部６２１、６２２のうち、机Ｂの角部の縁部１０側の開口縁部６２１には、外側に向けて鍔部２００’が、内側に向けて突出片４００’が、延出されている。一方、開口縁部６２２の内側面には、後述する蓋体３００’が着脱自在に取り付けられる係合溝６３０が設けられている。
【００３５】
鍔部２００’は、略Ｌ字状に折れ曲がった連結具本体６００の開口縁部６２１から延出されている以外は、鍔部２００とほぼ同様の構成となっている。従って、説明は省略し、符号には’を付けて示す。
【００３６】
突出片４００’及び蓋体３００’は、連結具本体６００に合わせて略Ｌ字状の折れ曲がっている以外は、配線用ダクトＡの突出片４００及び蓋体３００とほぼ同様の構成となっている。従って、説明は省略し、符号には’を付けて示す。なお、蓋体３００’も蓋体３００と同様に連結具本体６００の開口縁部６２１に一体的に設けることも可能である。
【００３７】
嵌合部７００、７００は、連結具本体６００の両端部から突出した突出片であって、配線用ダクトＡ１、Ａ２の端部１５０、１５０に挿入され、当該端部１５０、１５０の内側面に当接する一対の側片部７１０、７１０と、配線用ダクトＡ１、Ａ２の端部１５０、１５０に挿入され、当該端部１５０、１５０の底面に当接する底片部７２０とを有している。側片部７１０、７１０の上下端面は、中央部７１２から先端部７１１にかけて傾斜している。これにより嵌合部７００、７００が配線用ダクトＡ１、Ａ２の端部１５０、１５０が嵌合し易くなっている。
【００３８】
このような連結具Ｄによる場合、配線Ｃを配線用ダクトＡ１、Ａ２及び連結具本体内６００に収納させる。その後、嵌合部７００、７００を配線用ダクトＡ１、Ａ２の端部１５０、１５０に各々嵌合させる。このようにして配線用ダクトＡ１、Ａ２の端部１５０、１５０同士を連結させる。この状態で、配線用ダクトＡ１、Ａ２の鍔部２００の両面テープＦと、連結具Ｄの鍔部２００’の両面テープＦとをそれぞれ剥がし、机Ｂの縁部１０の上面に接着させ、当該縁部１０に取り付ける。
【００３９】
この連結具Ｄは、配線用ダクトＡ１、Ａ２の端部同士を連結した状態で机Ｂの角部の縁部１０に取り付けられ、配線Ｃを収納し保護するようになっている。このため、机Ｂの角部の縁部１０あたりに配線Ｃが露出することがなくなり、その結果、外観が損なわれない。しかも、配線用ダクトＡと同様、机Ｂの縁部１０に簡単に取り付けることができるので、従来例のごとく配線用ダクト付机を新規に購入する場合と比べて安価である。
【００４０】
なお、連結具本体６００は、上部に開口６１０を有する断面視略Ｕ形状であるとしたが、これに限定されることはなく、開口６１０は当該連結具本体６００の側面に形成されていても良い。この場合、鍔部２００’は、机Ｂの縁部１０の上面に当接し得るように連結具本体６００の外面から延出されていれば良い。また、連結具本体６００は、筒状であれば良く、配線用ダクトＡ１、Ａ２のダクト本体１００の形状に応じて変形させても良い。
【００４１】
蓋体３００、３００’を透明にし、ダクト本体１００に収納された配線Ｃが目視できるようにすることもできる。なお、ここでいう透明とは、ダクト本体１００の内部が見える程度のことを言う。また、蓋体３００、３００’には、配線Ｃを外部に導くための導出孔を設けることもできる。
【００４２】
鍔部２００、２００’の下面２１０、２１０’は、机Ｂの縁部１０の上面と両面テープＦで接着させられているとしたが、両面テープＦ以外の粘着テープ、粘着シート、接着剤及び吸盤等で接着させることも当然可能である。
【００４３】
以下、本発明の実施の形態に係る別の連結具ついて図面を参照しながら説明する。図６は本発明の実施の形態に係る別の連結具の使用状態を示す概略的斜視図である。
【００４４】
ここに掲げる連結具Ｅは、一直線状に配置された配線用ダクトＡ１、Ａ２の端部１５０、１５０同士を連結する筒状の連結具であって、配線用ダクトＡ１、Ａ２の端部１５０、１５０の内側面に各々当接する一対の立壁部８００、８００と、この立壁部８００、８００が設けられる基台９００とを有している。以下、各部を詳しく説明する。
【００４５】
基台９００は、平板であって、配線用ダクトＡ１、Ａ２の端部１５０、１５０に挿入され、端部１５０、１５０の底面に当接するようになっている。この基台９００の両端部９１０、９１０には、立壁部８００、８００が立設されている。なお、基台９００は、平板である必要はなく、配線用ダクトＡ１、Ａ２の端部１５０、１５０に挿入され得るものであれば、その形状は問わない。
【００４６】
立壁部８００、８００は、平板であって、配線用ダクトＡ１、Ａ２の端部１５０、１５０内に挿入され、その内側面に各々当接するように構成されている。立壁部８００、８００の上下端面は中央部から両端部にかけて傾斜している。これにより立壁部８００、８００が配線用ダクトＡ１、Ａ２の端部１５０、１５０に挿入され易くなっている。なお、立壁部８００、８００も平板である必要はなく、配線用ダクトＡ１、Ａ２の端部１５０、１５０の内側面に当接し得るものであれば、その形状を問わない。このため、例えば、配線用ダクトＡ１、Ａ２が円筒状である場合、当該配線用ダクトＡの端部１５０、１５０の内側面に当接し得るように湾曲した平板とすれば良い。
【００４７】
このような連結具Ｅによる場合、基台９００が配線用ダクトＡ１、Ａ２の端部１５０、１５０の底面に当接し、立壁部８００、８００が当該配線用ダクトＡ１、Ａ２の端部１５０、１５０の内側面に当接することにより、配線用ダクトＡ１、Ａ２の端部１５０、１５０同士を連結することができる。このため、連結した配線用ダクトＡ１、Ａ２を机Ｂの縁部１０の一側面に途切れることなく配置することができるので、配線用ダクトＡ１、Ａ２の間から配線Ｃが露出することがなく、外観が損なわれることがない。
【００４８】
なお、連結具Ｅは、基台９００が配線用ダクトＡ１、Ａ２の端部１５０、１５０の底面に当接し、立壁部８００、８００が当該配線用ダクトＡ１、Ａ２の端部１５０、１５０の内側面に当接するとしたが、少なくとも立壁部８００、８００のみが配線用ダクトＡ１、Ａ２の端部１５０、１５０の内側面に当接するようになっていれば良い。
【００４９】
配線用ダクトＡ、連結具Ｄ及び、連結具Ｅは、ここでは机Ｂの縁部１０の側面に沿って配置されるとして説明したが、パソコンラック、本棚等の棚の縁部に沿って配置することも当然可能である。
【００５０】
【発明の効果】
以上説明とおり、本発明の請求項１の配線用ダクトは、机や棚の縁部に取り付けられて使用される配線用ダクトであって、机等の縁部の側面に当接する筒状部材であり且つ長さ方向に収納すべき配線を出し入れするための開口が形成されたダクト本体と、机等の縁部の上面に当接する片部材であり且つ前記ダクト本体の外面に長さ方向にわたって延設された鍔部とを有する。
【００５１】
このような請求項１の配線用ダクトによる場合、机等の縁部の側面に接着された状態で、配線を収納し保護するので、配線が露出することがなく、その結果、外観が損なわれることがなくなる。しかも、すでに所有している机等の縁部に簡単に取り付けることができるので、従来例の配線用ダクト付机を新規に購入する場合と比べて非常に安価である。また、一台の机等に取り付けることができることから、家庭にあるＯＡ機器の配線を収納する上で有用である。
【００５２】
本発明の請求項２の配線用ダクトは、請求項１記載の配線用ダクトにおいて、前記鍔部の基端側の下部には、机等の縁部の上面に設けられた凸部が嵌まり込む溝部が設けられている。
【００５３】
このような請求項２の配線用ダクトによる場合、縁部に凸部を有する机等であっても、この縁部に前記鍔部をうまく接着させることができる。
【００５４】
本発明の請求項３の配線用ダクトは、請求項１又は２記載の配線用ダクトにおいて、前記ダクト本体には、弾性片であり且つ当該ダクト本体の前記開口を開閉可能に塞ぐ蓋体が着脱自在に取り付けられいる。
【００５５】
このような請求項３の配線用ダクトによる場合、蓋体で前記ダクト本体の開口を開閉可能に閉塞するので、このダクト本体内にゴミや塵などが入らないようにすることができる。
【００５６】
本発明の請求項４の配線用ダクトは、請求項１、２又は３記載の配線用ダクトにおいて、前記ダクト本体の端部に嵌合し、当該端部を閉塞するキャップを有している。
【００５７】
このような請求項４の配線用ダクトによる場合、前記ダクト本体の端部から配線が露出しないので、外観が損なわれない。
【００５８】
本発明の請求項５の連結具は、机等の角部の縁部に取り付けられ、直交配置された請求項１、２、３又は４記載の配線用ダクトの端部同士を連結する筒状の連結具において、机等の角部の縁部に沿って略Ｌ字状に折れ曲がった筒状部材であり且つ収納すべき配線を出し入れするための開口が形成された連結具本体と、机等の縁部の上面に当接する片部材であり且つ前記ダクト本体の外面に長さ方向にわたって延設された鍔部と、前記連結具本体の両端部に設けられ、前記ダクト本体の端部に各々嵌合する嵌合部とを具備することを特徴としている。
【００５９】
このような請求項５の連結具による場合、机等の角部の縁部に取り付けられ、配線を収納し保護することができる。このため、机等の角部の縁部あたりに配線が露出することがなくなり、その結果、外観が損なわれない。しかも、上記配線用ダクトと同様、机等の縁部に簡単に取り付けることができるので、従来例のごとく配線用ダクト付机を新規に購入する場合と比べて安価である。
【００６０】
本発明の請求項６の連結具は、請求項５記載の連結具において、前記連結具本体には、弾性片であり且つ当該連結具本体の開口を開閉可能に塞ぐ蓋体が着脱自在に取り付けられている。
【００６１】
このような請求項６の連結具による場合、蓋体で前記ダクト本体の開口を開閉可能に閉塞するので、この連結具本体内にゴミや塵などが入らないようにすることができる。
【００６２】
本発明の請求項７の連結具は、一直線状に配置された請求項１、２、３又は４記載の配線用ダクトの端部同士を連結する連結具であって、前記配線用ダクトの端部の内側面に各々当接する一対の立壁部と、この立壁部が設けられる基台とを有している。
【００６３】
このような請求項７の連結具による場合、連結した配線用ダクトを机等の縁部の一側面に途切れることなく配置することができるので、配線用ダクトの間から配線が露出することがなく、外観が損なわれることがない。
【図面の簡単な説明】
【図１】配線用ダクトの概略的正面図である。
【図２】同ダクトの使用状態を説明するための概略的斜視図である。
【図３】同ダクトの変形例を示す概略的正面図である。
【図４】本発明の実施の形態に係る連結具の概略的側面図である。
【図５】同連結具の使用状態を示す概略的斜視図である。
【図６】本発明の実施の形態に係る別の連結具の使用状態を示す概略的斜視図である。
【符号の説明】
Ａ（  Ａ１、Ａ２）    配線用ダクト
１００  ダクト本体
１１０  開口
１２１、１２２  開口縁部
２００  鍔部
３００  蓋体
５００  キャップ
Ｂ      机
１０    縁部
Ｃ      配線
Ｄ      連結具
６００  連結具本体
７００  嵌合部
Ｅ      連結具
８００  基台
９００  立壁部
【図１】
2004305470.tif 000003
【図２】
2004305470.tif 000004
【図３】
2004305470.tif 000005
【図４】
2004305470.tif 000006
【図５】
2004305470.tif 000007
【図６】
2004305470.tif 000008